(57)【要約】【課題】本発明は、アナログ信号に通信データを重畳することにより、１つの信号ラインでアナログ信号及び通信データを送り、各回路間の省線化を行うことを目的とする。【解決手段】本発明による信号伝送方法及び装置は、第１回路(1)の通信・アナログ信号重畳回路(20)にて重畳した通信・アナログ信号(22)を１本のみの通信ライン(23)を経て第２回路(4)の通信・アナログ信号分離回路(21)に入力して元の通信データ(10)及びアナログ信号(11)に分離する方法と構成である。【選択図】図１
2007043543.tif 000002
【特許請求の範囲】
【請求項１】
第１回路(1)に設けられた第１通信回路(2)、アナログ信号出力回路(3)及び通信・アナログ信号重畳回路(20)と、
第２回路(4)に設けられた通信・アナログ信号分離回路(21)、第２通信回路(5)及びアナログ信号入力回路(6)と、を用い、
前記第１通信回路(2)からの通信データ(10)及び前記アナログ信号出力回路(3)からのアナログ信号(11)を前記通信・アナログ信号重畳回路(20)で前記アナログ信号(11)に前記通信データ(10)を重畳させて得た通信・アナログ信号(22)として前記通信・アナログ信号分離回路(21)に１本のみの通信ライン(23)を経て入力し、前記通信・アナログ信号分離回路(21)からの前記通信データ(10)及びアナログ信号(11)を前記第２通信回路(5)及びアナログ信号入力回路(6)に入力し、
前記通信・アナログ信号重畳回路(20)と前記通信・アナログ信号分離回路(21)間は、前記通信・アナログ信号(22)が送受信されることを特徴とする信号伝送方法。
【請求項２】
前記通信データ(10)は、前記第１通信回路(2)と前記通信・アナログ信号重畳回路(20)間及び前記通信・アナログ信号分離回路(21)と前記第２通信回路(5)間において、送受信されることを特徴とする請求項１記載の信号伝送方法。
【請求項３】
第１回路(１)に設けられた第１通信回路(2)、アナログ信号出力回路(3)及び通信・アナログ信号重畳回路(20)と、
第２回路(4)に設けられた通信・アナログ信号分離回路(21)、第２通信回路(5)及びアナログ信号入力回路(6)と、よりなり、
前記第１通信回路(2)からの通信データ(10)及び前記アナログ信号出力回路(3)からのアナログ信号(11)を前記通信・アナログ信号重畳回路(20)で前記アナログ信号(11)に前記通信データ(10)を重畳させて得た通信・アナログ信号(22)として前記通信・アナログ信号分離回路(21)に１本のみの通信ライン(23)を経て入力され、前記通信・アナログ信号分離回路(21)からの前記通信データ(10)及びアナログ信号(11)が前記第２通信回路(5)及びアナログ信号入力回路(6)に入力され、
前記通信・アナログ信号重畳回路(20)と前記通信・アナログ信号分離回路(21)間は、前記通信・アナログ信号(22)が送受信されるように構成されていることを特徴とする信号伝送装置。
【請求項４】
前記通信データ(10)は、前記第１通信回路(2)と前記通信・アナログ信号重畳回路(20)間及び前記通信・アナログ信号分離回路(21)と前記第２通信回路(5)間において、送受信されるように構成したことを特徴とする請求項３記載の信号伝送装置。
【発明の詳細な説明】
【技術分野】
【０００１】
本発明は、信号伝送方法及び装置に関し、特に、アナログ信号に通信データを重畳することにより、１つの信号ラインでアナログ信号及び通信データを送ることができるようにし、各回路間の配線数を減らして省線化を行うための新規な改良に関する。
【背景技術】
【０００２】
従来、用いられていたこの種の一対の回路間のアナログ信号と通信データを送受信する信号伝送方法としては、特許文献等を開示していないが、一般に、図２で示される構成が採用されていた。
すなわち、図２において符号１で示されるものは第１通信回路２及びアナログ信号出力回路３を有する第１回路であり、この第１回路１には、第２通信回路５及びアナログ信号入力回路６を有する第２回路４が接続されている。
【０００３】
前記第１通信回路２と第２通信回路５間には、シリアルデータからなる通信データ１０が送受信可能に構成され、前記アナログ信号出力回路３からのＤＣ電圧で形成されるアナログ信号１１がＡ／Ｄコンバータからなるアナログ信号入力回路６に入力されるように構成されている。
【発明の開示】
【発明が解決しようとする課題】
【０００４】
従来の信号伝送方法は、以上のように構成されていたため、次のような課題が存在していた。
すなわち、各回路間に通信データとアナログ信号用に、別々に信号ラインを設置しなければならず、多チャンネルの各回路構成とした場合には、信号ラインが極めて多くなり、接続が複雑化すると共に、重畳も増加することになっていた。
【課題を解決するための手段】
【０００５】
本発明による信号伝送方法は、第１回路に設けられた第１通信回路、アナログ信号出力回路及び通信・アナログ信号重畳回路と、第２回路に設けられた通信・アナログ信号分離回路、第２通信回路及びアナログ信号入力回路と、を用い、前記第１通信回路からの通信データ及び前記アナログ信号出力回路からのアナログ信号を前記通信・アナログ信号重畳回路で前記アナログ信号に前記通信データを重畳させて得た通信・アナログ信号として前記通信・アナログ信号分離回路に１本のみの通信ラインを経て入力し、前記通信・アナログ信号分離回路からの前記通信データ及びアナログ信号を前記第２通信回路及びアナログ信号入力回路に入力し、前記通信・アナログ信号重畳回路と前記通信・アナログ信号分離回路間は、前記通信・アナログ信号が送受信される方法であり、また、前記通信データは、前記第１通信回路と前記通信・アナログ信号重畳回路間及び前記通信・アナログ信号分離回路と前記第２通信回路間において、送受信される方法であり、また、本発明による信号伝送装置は、第１回路に設けられた第１通信回路、アナログ信号出力回路及び通信・アナログ信号重畳回路と、第２回路に設けられた通信・アナログ信号分離回路、第２通信回路及びアナログ信号入力回路と、よりなり、前記第１通信回路からの通信データ及び前記アナログ信号出力回路からのアナログ信号を前記通信・アナログ信号重畳回路で前記アナログ信号に前記通信データを重畳させて得た通信・アナログ信号として前記通信・アナログ信号分離回路に１本のみの通信ラインを経て入力され、前記通信・アナログ信号分離回路からの前記通信データ及びアナログ信号が前記第２通信回路及びアナログ信号入力回路に入力され、前記通信・アナログ信号重畳回路と前記通信・アナログ信号分離回路間は、前記通信・アナログ信号が送受信されるようにした構成であり、また、前記通信データは、前記第１通信回路と前記通信・アナログ信号重畳回路間及び前記通信・アナログ信号分離回路と前記第２通信回路間において、送受信されるようにした構成である。
【発明の効果】
【０００６】
本発明による信号伝送方法及び装置は、以上のように構成されているため、次のような効果を得ることができる。
すなわち、アナログ信号に通信データを重畳して第１回路から第２回路に送信し、第２回路で通信データとアナログ信号に分離しているため、第１、第２回路間は１本のみの通信ラインで済むことになり、従来よりも大幅な省線化を達成することができる。
【発明を実施するための最良の形態】
【０００７】
本発明は、アナログ信号に通信データを重畳することにより、１つの信号ラインでアナログ信号及び通信データを送ることができるようにし、各回路間の配線数を減らして省線化を行うようにした信号伝送方法及び装置を提供することを目的とする。
【実施例】
【０００８】
以下、図面と共に本発明による信号伝送方法及び装置の好適な実施の形態について説明する。
尚、従来例と同一又は同等部分については同一符号を用いて説明する。
図１において符号１で示されるものは、第１通信回路２、アナログ信号出力回路３及び通信・アナログ信号重畳回路２０で構成される第１回路であり、この第１回路１に対して独立して第２回路４が構成されている。
【０００９】
前記第２回路４は、第２通信回路５、アナログ信号入力回路６及び通信・アナログ信号分離回路２１とで構成され、前記通信・アナログ信号重畳回路２０と通信・アナログ信号分離回路２１間は、通信・アナログ信号２２が送受信すなわち双方向通信できるように構成さている。
【００１０】
次に、動作について説明する。
まず、第１回路１において、アナログ信号出力回路３からのＤＣ電圧等のアナログ信号１１と第１通信回路２からのシリアルデータの通信データ１０が通信・アナログ信号重畳回路２０にて重畳され、アナログ信号１１に通信データ１０が重畳され、通信・アナログ信号２２として前記通信・アナログ信号重畳回路２０から１本のみの通信ライン２３を介して前記通信・アナログ信号分離回路２１に入力される。
【００１１】
前記通信・アナログ信号分離回路２１に入力された通信・アナログ信号２２は、シリアルデータの通信データ１０とＤＣ電圧等のアナログ信号１１に分離され、通信データ１０は第２通信回路５に入力され、アナログ信号１１はＡ／Ｄコンバータ等のアナログ信号入力回路６に入力されている。
【産業上の利用可能性】
【００１２】
本発明は、通信・アナログ信号の送受信に限ることなく、他のデータ信号、画像データ信号等の送受信にも適用可能である。
【図面の簡単な説明】
【００１３】
【図１】本発明による信号伝送方法及び装置を示すブロック図である。
【図２】従来構成を示すブロック図である。
【符号の説明】
【００１４】
１    第１回路
２    第１通信回路
３    アナログ信号出力回路
４    第２回路
５    第２通信回路
６    アナログ信号入力回路
１０    通信データ
１１    アナログ信号
２０    通信・アナログ信号重畳回路
２１    通信・アナログ信号分離回路
２２    通信・アナログ信号
２３    通信ライン
【図１】
2007043543.tif 000003
【図２】
2007043543.tif 000004